(57)【要約】【課題】工具を使わずに容易に取付け及び取外しを行える空気調和機のドレン排水口構造を得る。【解決手段】ドレンソケット１２の筒状のドレン排水口１３を閉塞するドレンキャップ１４は、ドレン排水口１３側に開口する円環状の凹部１５が形成された頭部１６を有し、ドレン排水口１３の下端部を頭部１６の凹部１５内に受け入れて螺合することによりドレン排水口１３に組み付けられる構成であり、凹部１５の内周面とドレン排水口１３の内周面とが螺合し、凹部１５の外周面とドレン排水口１３の外周面とが螺合するように構成され、内周面同士を螺合する内ネジ１３ａ，１７ａ側が、外周面同士を螺合する外ネジ１３ｂ，１７ｂ側よりもきつく締結するように形成されているものである。【選択図】図３
2011149635.tif 000002
【特許請求の範囲】
【請求項１】
熱交換器で生成されて滴下したドレン水を受け止めて溜めるドレンパンのドレン穴に、筒状のドレン排水口を挿通してドレン水を排出するように形成したドレンソケットと、
前記ドレン排水口の下端開口を閉塞するドレンキャップとを備え、
前記ドレンキャップは、前記ドレン排水口側に開口する円環状の凹部が形成された頭部を有し、前記ドレン排水口の下端部を前記頭部の前記凹部内に受け入れて螺合することにより前記ドレン排水口に組み付けられる構成であり、前記凹部の内周面と前記ドレン排水口の内周面とが螺合し、前記凹部の外周面と前記ドレン排水口の外周面とが螺合するように構成され、前記内周面同士を螺合する内ネジ側が、前記外周面同士を螺合する外ネジ側よりもきつく締結するように形成されていることを特徴とする空気調和機のドレン排水口構造。
【請求項２】
前記ドレンキャップは、前記凹部の内周面からドレン排水口側に延長して突出する円柱状の突部を有していることを特徴とする請求項１記載の空気調和機のドレン排水口構造。
【請求項３】
前記ドレンキャップの前記凹部の内周面に形成した内ネジを前記突部において取付方向に延長して前記凹部の外周面に形成した外ネジの長さよりも長く形成したことを特徴とする請求項２記載の空気調和機のドレン排水口構造。
【請求項４】
前記外ネジに代えて、断面略半円弧状の環状凸部を前記凹部の外周面に複数形成したことを特徴とする請求項１乃至請求項３の何れか一項に記載の空気調和機のドレン排水口構造。
【請求項５】
前記ドレンキャップを前記ドレン排水口に取付けた状態において、前記ドレンキャップのうちドレン水に接触する部分に抗菌剤を設けたことを特徴とする請求項１乃至請求項４の何れか一項に記載の空気調和機のドレン排水口構造。
【発明の詳細な説明】
【技術分野】
【０００１】
この発明は、空気調和機のドレン排水口構造に関するものである。
【背景技術】
【０００２】
従来の天井埋込形空気調和機のドレン排水口構造は、ゴム製の封止栓でドレン排水口を封止している（例えば、特許文献１参照）。
【先行技術文献】
【特許文献】
【０００３】
【特許文献１】実開平７−１８１２８号公報（第２図）
【発明の概要】
【発明が解決しようとする課題】
【０００４】
従来の空気調和機のドレン排水口の構造は、ゴム製の封止栓でドレン排水口を封止しているが、水漏れを防止する為、なるべく隙間が少ない寸法で作られている。また、封止栓が経年劣化により硬くなったり変形したりすると、サービス点検時など取外す際に抜きにくく、工具を使って無理に抜き出そうとすると、破損する等の問題点があった。
【０００５】
この発明は、上記のような課題を解決するためになされたもので、工具を使わずに容易に取付け及び取外しを行える空気調和機のドレン排水口構造を得るものである。
【課題を解決するための手段】
【０００６】
この発明に係る空気調和機のドレン排水口構造は、熱交換器で生成されて滴下したドレン水を受け止めて溜めるドレンパンのドレン穴に、筒状のドレン排水口を挿通してドレン水を排出するように形成したドレンソケットと、ドレン排水口の下端開口を閉塞するドレンキャップとを備え、ドレンキャップは、ドレン排水口側に開口する円環状の凹部が形成された頭部を有し、ドレン排水口の下端部を頭部の凹部内に受け入れて螺合することによりドレン排水口に組み付けられる構成であり、凹部の内周面とドレン排水口の内周面とが螺合し、凹部の外周面とドレン排水口の外周面とが螺合するように構成され、内周面同士を螺合する内ネジ側が、外周面同士を螺合する外ネジ側よりもきつく締結するように形成したものである。
【発明の効果】
【０００７】
この発明によれば、ドレンキャップに環状に設けた凹部の内周面と、筒状のドレン排水口の内周面とが螺合し、凹部の外周面とドレン排水口の外周面とが螺合するように構成され、内周面同士を螺合する内ネジ側が、外周面同士を螺合する外ネジ側よりもきつく締結するように形成したので、確実に水漏れを防止でき、サービス時に工具を使わないで、容易に取付け、取外しすることができるという効果を有する。
【図面の簡単な説明】
【０００８】
【図１】この発明の実施の形態１における天井埋込形空気調和機の断面図である。
【図２】図１の化粧パネルの平面図である。
【図３】図１のドレン排水口部の拡大断面図である。
【図４】この発明の実施の形態２におけるドレン排水口部の分解断面図である。
【図５】図４のドレン排水口部の接続状態の断面図である。
【図６】この発明の実施の形態３におけるドレンキャップの拡大断面図である。
【図７】この発明の実施の形態４におけるドレンキャップの拡大断面図である（その１）。
【図８】この発明の実施の形態４におけるドレンキャップの拡大断面図である（その２）。
【発明を実施するための形態】
【０００９】
実施の形態１．
図１は、この発明の実施の形態１における天井埋込形空気調和機の断面図である。図２は、図１の化粧パネルの平面図である。
天井埋込形空気調和機の本体１内には、熱交換器２と、熱交換器２で生成されて滴下したドレン水を受け止めて溜めるドレンパン３と、ターボファン４と、ターボファン４により駆動されるファンモータ５と、電気品箱６とが設けられている。本体１の下方には略四角形状の化粧パネル７が取付けられている。化粧パネル７の中央付近には室内の空気を本体１内に吸い込むための吸込口８が設けられ、吸込口８の周囲には熱交換器２により冷却又は加熱されて温度調整された空気を室内へと吹き出すための吹出口９が設けられている。また、化粧パネル７には、吹出口９から室内へと吹き出す空気の風向を調整するためのベーン１０が設けられている。また、ドレンパン３の最下端部にはドレン水を排出するためのドレン排水口部１１が設けられている。
【００１０】
このように構成された天井埋込形空気調和機では、吸込口８より本体１内に吸込まれた空気が、熱交換器２を通って熱交換され、温度調整されて吹出口９より吹出される。冷房時には、熱交換器２で除湿された空気の水分が、下に垂れてドレンパン３に一旦溜まる。ドレンパン３のドレン水は、通常時は自然排水により排水されたり、ドレンポンプ（図示せず）により汲み上げて外部に排水されたりしている。しかし、これらの排水では完全に排出しきれずにドレンパン３に残留する場合がある。ドレンパン３にドレン水が残留すると、時間が経つにつれ空気中の埃やカビ菌などで汚れてくる為、定期的にメンテナンスが必要となる。このようなメンテナンス用としてドレン排水口部１１が設けられている。
【００１１】
図３は、図１のドレン排水口部の拡大断面図である。
ドレン排水口部１１において、ドレンパン３の最下端部にはドレン水を排出するためのドレン穴３ａが形成されている。また、ドレンパン３の内側にはドレンソケット１２が成形されている。ドレンソケット１２には、ドレンパン３の内側からドレン穴３ａを介してドレンパン３の底面３ｂよりも下方に突出する筒状のドレン排水口１３が一体的に形成されている。ドレン排水口１３の下端開口には樹脂製のドレンキャップ１４が螺合接続される。ドレンキャップ１４とドレンソケット１２は同じ樹脂材料グレードのものを使用する。
【００１２】
ドレンソケット１２のドレン排水口１３には、ドレンキャップ１４との接続部分に第１内ネジ１３ａと第１外ネジ１３ｂが形成され、ドレンキャップ１４に形成された後述の第２内ネジ１７ａと第２外ネジ１７ｂに螺合するように構成されている。
【００１３】
ドレンキャップ１４は、ドレン排水口１３側に開口する円環状の凹部１５が形成された頭部１６と、凹部１５の内周面からドレン排水口１３側に延長して突出する円柱状の突部１８とを有している。ドレンキャップ１４は、ドレン排水口１３の下端部を凹部１５内に受け入れて螺合することによりドレン排水口１３に組み付けられる。すなわち、凹部１５の内周面には、ドレン排水口１３の内周面に形成された第１内ネジ１３ａと螺合する第２内ネジ１７ａが形成され、また、凹部１５の外周面には、ドレン排水口１３の外周面に形成された第１外ネジ１３ｂと螺合する第２外ネジ１７ｂが形成されている。また、凹部１５の底部にはOリング１９が設けられている。
【００１４】
ドレンキャップ１４の第２内ネジ１７ａと第２外ネジ１７ｂの関係は、第２内ネジ１７ａがきつく、第２外ネジ１７ｂをゆるく（一般的に、ネジ山のピッチが狭く、ネジ山高さが高い方がきつく、逆にネジ山のピッチが広く、ネジ山高さが低い方がゆるい）設定している。ドレンソケット１２のドレン排水口１３の第１内ネジ１３ａと第１外ネジ１３ｂも同様の関係に設定されている。
【００１５】
このように構成されたドレンキャップ１４をドレン排水口１３に取付ける際には、ドレンキャップ１４の凹部１５をドレン排水口１３の下端部に挿入し、ドレンキャップ１４をネジの締結方向に回転させる。これにより、第２内ネジ１７ａが第１内ネジ１３ａに螺合するとともに、第２外ネジ１７ｂが第１外ネジ１３ｂに螺合し、ドレンキャップ１４がドレン排水口１３に取付けられる。このとき、ドレン排水口１３の下端部がＯリング１９に食い込むまで螺合することにより、水漏れを防止した取付けが可能である。また、ドレンキャップ１４を取り外す際には、ドレンキャップ１４を取付時と反対方向に回転させればよい。
【００１６】
以上説明したように実施の形態１によれば、ドレン排水口１３とドレンキャップ１４との接続はネジによる螺合である為、ドレンキャップ１４の取り外しの際、工具を使わずに容易に取付け、取外しを行うことができる。また、ドレンソケット１２とドレンキャップ１４を同じ樹脂材料グレードを使用している為、経年変化による寸法変化の影響が少なく、ドレンキャップ１４の取付け、取外し作業性を初期状態から継続して維持することができる。さらに、ドレンキャップ１４の内ネジをきつくしている為、確実に水漏れを防止でき、また、外ネジをゆるくしている為、取付け、取外しが行い易い。
【００１７】
また、ドレンキャップ１４は円柱状の突部１８を有しており、この突部１８がドレン排水口１３に装着する際の挿入ガイドとなる為、取付け易い。この突部１８は省略可能であるが、取付作業性の面から設けた方が好ましい。
【００１８】
実施の形態２．
実施の形態２は、実施の形態１のドレン排水口部１１の構造を一部変更したもので、天井埋込形空気調和機におけるその他の構成は実施の形態１と同様である。
【００１９】
図４は、この発明の実施の形態２におけるドレン排水口部の分解断面図である。図５は、図４のドレン排水口部の接続状態の断面図である。図４及び図５において図３と同一部分には同一符号を付す。
実施の形態２では、ドレンキャップ１４の第２内ネジ１７ａの取付方向の長さが、第２外ネジ１７ｂの同方向の長さよりも長く形成されている。また、ドレン排水口１３の第１内ネジ１３ａの長さも、第２内ネジ１７ａの取付方向の長さに合わせて長くしている。
【００２０】
このように構成することにより、実施の形態１と同様の作用効果が得られると共に、ドレンソケット１２にドレンキャップ１４を取付けるに際し、第２内ネジ１７ａから先にドレンソケット１２に接触するので、ドレンキャップ１４が取付方向に導かれ、より容易に取付作業を行うことができる。そして、その後、第２外ネジ１７ｂもドレンソケット１２に接触して螺合する為、確実に締め込みができる。
【００２１】
実施の形態３．
実施の形態３は、実施の形態１のドレン排水口部１１の構造を一部変更したもので、天井埋込形空気調和機におけるその他の構成は実施の形態１と同様である。
【００２２】
図６は、この発明の実施の形態３におけるドレンキャップの拡大断面図である。図６において図３と同一部分には同一符号を付す。
実施の形態２のドレンキャップ１４は、実施の形態１において環状の凹部１５の外周面にネジを形成するのに代えて、断面略半円弧状の環状凸部２０を複数形成するようにしたものである。このように構成されたドレンキャップ１４が取り付けられるドレン排水口１３の外周面の面形状については特に限定するものではないが、ドレンキャップ１４と同様に断面略半円弧状の環状凸部を複数形成するようにしてもよい。
【００２３】
このように構成した場合にも、実施の形態１と同様の作業性を得ることができると共に、水漏れ防止についても同等機能を得ることができる。なお、図６では、図３に示した実施の形態１のドレンキャップ１４に環状凸部２０を形成した例を示したが、図４に示した実施の形態２のドレンキャップ１４に環状凸部２０を形成した構成としてもよい。
【００２４】
実施の形態４．
実施の形態４は、実施の形態１，２，３のドレン排水口部１１の構造を一部変更したもので、天井埋込形空気調和機におけるその他の構成は実施の形態１，２，３と同様である。
【００２５】
図７及び図８は、この発明の実施の形態４におけるドレン排水口部の断面図である。図７及び図８において図３と同一部分には同一符号を付す。
実施の形態４のドレンキャップ１４は、ドレン排水口部１１に取付けられた状態においてドレン水に接触する部分に、抗菌剤を練り込んだものを設けた構成としたものである。具体的には図７及び図８に示すように、抗菌剤を練り込んだ樹脂２１をドレンキャップ１４の突部１８に埋設した構成とした。また、図示していないが、図６に示した実施の形態３のドレンキャップ１４に樹脂２１を設けた構成としてもよい。
【００２６】
このように構成することにより、実施の形態１，２，３と同様の作用効果が得られると共に、抗菌剤を練り込んだ樹脂２１を設けた為、ドレンパン３に残留した一部のドレン水の空気中の埃やカビ菌などによる汚れを防止することが可能である。よって、衛生的な空気調和機を得ることができる。
【符号の説明】
【００２７】
１  本体、２  熱交換器、３  ドレンパン、３ａ  貫通穴、３ｂ  底面、４  ターボファン、５  ファンモータ、６  電気品箱、７  化粧パネル、８  吸込口、９  吹出口、１０  ベーン、１１  ドレン排水口部、１２  ドレンソケット、１３  ドレン排水口、１３ａ  第１内ネジ、１３ｂ  第１外ネジ、１４  ドレンキャップ、１５  凹部、１６  頭部、１７ａ  第２内ネジ、１７ｂ  第２外ネジ、１８  突部、１９  Ｏリング、２０  凸部、２１  樹脂。
【図１】
2011149635.tif 000003
【図２】
2011149635.tif 000004
【図３】
2011149635.tif 000005
【図４】
2011149635.tif 000006
【図５】
2011149635.tif 000007
【図６】
2011149635.tif 000008
【図７】
2011149635.tif 000009
【図８】
2011149635.tif 000010